(57)【要約】【課題】待ち受け時の基地局を選択する際に、確実に送受信可能な基地局を選択できる無線通信装置を提供することである。【解決手段】無線基地局との通信を制御する通信制御部２０と、現在位置を検出する現在位置検出部２３と、複数の基地局候補に関するデータを記憶する基地局候補記憶部２５と、通信制御部２０、現在位置検出部２３、及び基地局候補記憶部２５を制御する制御部２８とを備え、通信制御部２０は現在位置から基地局までが所定距離以内であること及び受信電界強度を基に基地局候補の中から通信可能な基地局を検出し、該基地局にて待ち受けする。【選択図】　　　図２
2004134951.tif 000002
【特許請求の範囲】
【請求項１】
無線基地局との通信を制御する通信制御部と、現在位置を検出する現在位置検出部と、複数の基地局候補に関するデータを記憶する基地局候補記憶部と、前記通信制御部、前記現在位置検出部、及び前記基地局候補記憶部を制御する制御部とを備えた無線通信装置において、
前記制御部は、現在位置から基地局までが所定距離以内であること及び受信電界強度を基に前記基地局候補の中から通信可能な基地局を検出し、該検出された通信可能な基地局にて待ち受けするよう前記通信制御部を制御することを特徴とする無線通信装置。
【請求項２】
前記基地局候補記憶部に前記基地局候補に対応して同期補正情報を記憶し、該同期補正情報を用いて通信可能な基地局を検出することを特徴とする請求項１記載の無線通信装置。
【請求項３】
発呼時に前記基地局からの応答が受信できない場合、
現在位置から前記基地局までが所定距離以内であるときは自動再発呼し、
現在位置から前記基地局までが所定距離を超えるときは自動再発呼しないことを特徴とする請求項１又は２記載の無線通信装置。
【発明の詳細な説明】
【０００１】
【発明の属する技術分野】
本発明は、現在位置を検出可能な無線通信装置に関し、例えばＧＰＳを備えた携帯電話機等に関するものである。
【０００２】
【従来の技術】
無線通信装置の一つである携帯電話のシステムは、基地局からの出力電波は強く、携帯電話機からの送信出力は弱く設定されている。そして、待ち受け時には、最も強い受信電界強度（ＲＳＳＩ［Ｒｅｃｅｉｖｅ　Ｓｉｇｎａｌ　Ｓｔｒｅｎｇｔｈ　Ｉｎｄｉｃａｔｉｏｎ］）の基地局を選択している。この受信電界強度は主に基地局から携帯電話機までの距離とその間の障害物の有無に依存する。例えば、基地局から携帯電話機までの距離は遠いがその間に障害物がない場合と、距離は近いがその間に山がある場合とでは、前者の受信電界強度が強いことがある。その場合、待ち受けには距離が遠い方の基地局を選択することになる。
【０００３】
【特許文献１】
特開２００２−２４１６号公報
【０００４】
【発明が解決しようとする課題】
そして、発呼時には上記で選択した距離の遠い方の基地局と通信を行うことになるが、携帯電話機からの送信出力は弱いため、その基地局まで届かない場合がある。その際でも、待ち受け時に選択しなかった距離が近い方の基地局には送信可能で通信できる場合がある。例えば、初めに端末から近い距離にある基地局と端末との間に山等の障害物があるために、端末が距離の近い方の基地局を選択せず、その後端末が移動することにより、距離が近い方の基地局と端末との間の障害物がなくなり、端末と距離が近い方の基地局との間で通信が可能となる場合である。従って、待ち受け時と発呼時とは違う基地局を選択することになり、再発呼時に送信可能な基地局を再度探さなければならない。
【０００５】
本発明は、上記の問題点に鑑み、待ち受け時の基地局を選択する際に、確実に送受信可能な基地局を選択できる無線通信装置を提供することを目的とする。
【０００６】
【課題を解決するための手段】
上記目的を達成するために本発明は、無線基地局との通信を制御する通信制御部と、現在位置を検出する現在位置検出部と、複数の基地局候補に関するデータを記憶する基地局候補記憶部と、前記通信制御部、前記現在位置検出部、及び前記基地局候補記憶部を制御する制御部とを備えた無線通信装置において、前記制御部は、現在位置から基地局までが所定距離以内であること及び受信電界強度を基に前記基地局候補の中から通信可能な基地局を検出し、該検出された通信可能な基地局にて待ち受けするよう前記通信制御部を制御することを特徴とするものである。
【０００７】
このように、基地局候補記憶部に記憶されている基地局に関するデータを用いて待ち受けする基地局を決定することにより、受信は可能でも送信時に電波が届かない距離の基地局にて待ち受けすることがなくなり、確実に送受信可能な基地局を選択することができる。従って、発呼時に繋がりにくい事態を回避して快適に使用できる無線通信装置を提供することができる。
【０００８】
上記の無線通信装置において、前記通信可能な基地局の検出は、現在位置から基地局までが所定距離以内であること及び受信電界強度を基に検出することで、より確実に送受信可能となる。
【０００９】
また上記の無線通信装置において、前記基地局候補記憶部に前記基地局候補に対応して同期補正情報を記憶し、該同期補正情報を用いて通信可能な基地局を検出することにより、基地局決定時間の高速化を実現することができる。特に、無線通信装置から基地局までの距離が遠い場合に有効である。
【００１０】
また上記の無線通信装置において、発呼時に前記基地局からの応答が受信できない場合、現在位置から前記基地局までが所定距離以内であるときは自動再発呼し、現在位置から前記基地局までが所定距離を超えるときは自動再発呼しないようにしてもよい。
【００１１】
このように、発呼時に基地局から応答がない場合に、待ち受けしていた基地局に向けて再発呼するか否かを基地局までの距離に基づいて判断することにより、基地局までの距離が送信出力の限界を超えているとき、つまり繋がる見込みのない場合には再発呼しないように制御でき、発呼時に必要な電力を節約して電池を長持ちさせることができる。
【００１２】
【発明の実施の形態】
以下に本発明の実施形態について図面を参照して説明する。図１は、無線通信システムの構成を示すブロック図である。図１には無線通信システムの一部として、携帯電話機１０と、基地局１１、１２とが示されている。携帯電話機１０と基地局１１との間は距離Ｘ（例えば、Ｘ＝２０ｋｍ）で障害物はなく、携帯電話機１０と基地局１２との間は距離Ｙ（例えば、Ｙ＝１０ｋｍ）で山１３があるとする。
【００１３】
図２は、携帯電話機１０の構成を示すブロック図である。携帯電話機１０は、基地局との通信を制御する通信制御部２０と、通信制御部２０に接続され無線通信するためのアンテナ２１と、液晶ディスプレイ等からなる表示部２２と、現在位置を検出するＧＰＳ（Ｇｌｏｂａｌ　Ｐｏｓｉｔｉｏｎｉｎｇ　Ｓｙｓｔｅｍ）等からなる現在位置検出部２３と、ユーザによりキー操作される操作部２４と、複数の基地局候補に関するデータを記憶する基地局候補記憶部２５と、現在位置等を一時記憶するＲＡＭ２６と、携帯電話機１０の動作に必要なプログラムを記憶しているＲＯＭ２７と、ＲＯＭ２７のプログラム等に基づいて携帯電話機１０を制御するマイクロコンピュータ等で構成された制御部２８とを備えている。
【００１４】
なお、基地局候補記憶部２５には、それぞれの基地局の位置情報（緯度・経度）や基地局ＩＤ等が記憶されている。例えば、そのデータは製造時に予め全国の基地局のデータを登録しておいてもよいし、製造時にデータは登録せずにユーザの使用により自動的に基地局を登録していくようにしてもよい。
【００１５】
次に、待ち受け時の基地局選択時の携帯電話機１０の動作について説明する。図３は、携帯電話機１０の制御部２８の動作を示すフローチャートである。まず、操作部２４が操作され、携帯電話機１０の電源がオンにされると、ステップＳ１０において現在位置検出部２３により現在位置を検出する。
【００１６】
次にステップＳ１１へ進んで、算出した現在位置から基地局候補記憶部２５に記憶されている各基地局までの距離を算出する。その距離は現在位置の緯度・経度と基地局候補記憶部２５に記憶されている基地局の緯度・経度とから求められる。ここで、基地局候補記憶部２５に多数の基地局候補が記憶されている場合、全ての基地局候補を対象に算出するには時間がかかり、制御部２８にも負担を掛けることになる。そこで、例えば、現在位置を中心とする一定範囲内の緯度・経度を有する基地局候補を選別し、その基地局候補についてだけ距離を算出すればよい。また例えば、基地局候補の数が所定数（例えば、５つ）になるまで現在位置を中心とする緯度・経度の範囲を絞っていき、その基地局候補についてだけ距離を算出すればよい。
【００１７】
次にステップＳ１２へ進んで、ステップＳ１１で算出した距離の短い順に受信電界強度の測定を開始する。続いてステップＳ１３へ進んで測定した受信電界強度が所定値以上であるか否かを判別する。ステップＳ１３において受信電界強度が所定値未満の基地局は通信不可能と判断し、ステップＳ１２に戻って次に距離の短い基地局の受信電界強度を測定する。一方、ステップＳ１３において受信電界強度が所定値以上である場合は、ステップＳ１４へ進んでその基地局にて待ち受けする。
【００１８】
なお、ステップＳ１１の後に、基地局候補記憶部２５から同期補正情報を読み出して使用してもよい。ここで、同期補正情報とは、基地局１１と携帯電話機１０間の距離に対応する位相差の値を示す情報であり、受信電波と携帯電話機１０内部とのクロックを合わせるため、予めＰＬＬをずらしておき受信電波を速く引き込み、同期補正の高速化を実現するものである。特に、携帯電話機１０から基地局までの距離が遠い場合にＰＬＬをセンターからどのくらいずらせばよいかという情報のことである。
【００１９】
同期補正情報を用いる場合、例えば、基地局１１と携帯電話機１０との間の距離が長い場合には、携帯電話機１０は遅延する電波を受信することとなる。そこで携帯電話機１０は、上記同期補正情報に基づいて、受信する電波の遅れに合せて同期を合せることが可能である。このような構成とすることにより、電波の遅延が生じた際でも速く同期を合せることが可能である。
【００２０】
例えば、携帯電話機１０と基地局１１、１２とが図１のような配置の場合、山１３の影響により距離の近い基地局１２の受信電界強度よりも距離の遠い基地局１１の受信電界強度の方が強いことがある。従来の携帯電話機ではこの場合、受信電界強度の強い基地局１１を待ち受けの基地局として選択するようになっていた。しかしながら、本発明では、受信電界強度が弱くても所定値以上であればよく、距離の近い基地局１２が待ち受けの基地局として選択される。その結果、送信出力の限界距離が例えば１５ｋｍの携帯電話機１０でも基地局１２には送信可能であるので待ち受け時の基地局と同じ基地局に発呼すれば通信することができる。
【００２１】
このように、基地局候補記憶部２５に記憶されている基地局に関するデータを用いて待ち受けする基地局を決定することにより、受信は可能でも送信時に電波が届かない距離の基地局にて待ち受けすることがなくなり、確実に送受信可能な基地局を選択することができる。従って、発呼時に繋がりにくい事態を回避して快適に使用できる携帯電話機を提供することができる。
【００２２】
更に、携帯電話機１０から基地局までの距離が所定距離以内でかつ受信電界強度が所定値以上である基地局にて待ち受けすることで、より確実に送受信可能となる。
【００２３】
なお、待ち受け時に携帯電話機１０が移動させられた場合は、再度、基地局の選択をすればよい。例えば、現在位置検出部２３により一定距離移動したことが検出されると、再度、基地局を選択するように制御すればよい。その際、現在位置の検出は常時行うと携帯電話機１０の処理負担が大きくなるので一定時間毎に行えばよい。
【００２４】
次に、待ち受け状態から発呼するときの携帯電話機１０の動作について説明する。図４は、発呼時の携帯電話機１０の動作を示すフローチャートである。図３の処理後の待ち受け時に、ステップＳ２０において操作部２４が操作され、待ち受けの基地局に向けて発呼すると、ステップＳ２１へ進んで基地局から応答があるか否かを判別する。ステップＳ２１において基地局からの応答があれば、通常の処理を行い通信を開始する。ステップＳ２１において基地局から応答がない場合は、ステップＳ２２へ進んで携帯電話機１０から基地局までが所定距離以内か否かを判別する。
【００２５】
そして、ステップＳ２２において所定距離以内である場合は、通信可能な距離に基地局があると判断して、ステップＳ２３へ進んで再発呼する。一方、ステップＳ２２において所定距離を超えるときは、通信不可能な距離であると判断して、再発呼せずに処理を終了する。なお、再発呼でも応答がない場合は、あと数回再発呼を繰り返すような設定にしてもよいし、違う基地局を選択して再発呼するようにしてもよい。
【００２６】
尚、上記Ｓ２０ステップからＳ２３ステップまでの再発呼間は所定時間間隔で行われており、例えば、上記Ｓ２０ステップで携帯電話機１０内に搭載された計時回路（図示せず）で計時を開始し、上記計時回路が所定の時間を計時すると上記Ｓ２３ステップで再発呼を開始する構成とすることができる。
【００２７】
又、所定距離移動するたびに再発呼してもよい。
【００２８】
このように、発呼時に基地局から応答がない場合に、待ち受けしていた基地局に向けて再発呼するか否かを基地局までの距離に基づいて判断することにより、基地局までの距離が送信出力の限界を超えているとき、つまり繋がる見込みのない場合には再発呼しないように制御できる。それに伴い発呼時に必要な電力を節約して電池を長持ちさせることができる。
【００２９】
なお、本発明の無線通信装置は携帯電話機に限定されるものではなく、複数の基地局の中から、ある基地局を選択して通信する無線通信装置であれば適用することができる。その際、無線通信装置には少なくとも通信制御部２０、現在位置検出部２３、基地局候補記憶部２５、及び制御部２８が備えられていればよく、表示部２２や操作部２４等は無線通信装置に設けた端子に接続する構成とすることができる。
【００３０】
【発明の効果】
本発明の無線通信装置によれば、無線基地局との通信を制御する通信制御部と、現在位置を検出する現在位置検出部と、複数の基地局候補に関するデータを記憶する基地局候補記憶部と、通信制御部、現在位置検出部、及び基地局候補記憶部を制御する制御部とを備え、制御部は基地局候補の中から通信可能な基地局を検出し、該検出された通信可能な基地局にて待ち受けするよう前記通信制御部を制御することにより、受信は可能でも送信時に電波が届かない距離の基地局にて待ち受けすることがなくなり、確実に送受信可能な基地局を選択することができる。従って、発呼時に繋がりにくい事態を回避して快適に使用できる無線通信装置を提供することができる。
【００３１】
また本発明によれば、通信可能な基地局の検出は、現在位置から基地局までが所定距離以内であること及び受信電界強度を基に検出することで、より確実に送受信可能となる。
【００３２】
また本発明によれば、基地局候補記憶部に基地局候補に対応して同期補正情報を記憶し、該同期補正情報を用いて通信可能な基地局を検出することにより、同期補正の高速化を実現することができる。特に、無線通信装置から基地局までの距離が遠い場合に有効である。
【００３３】
また本発明によれば、発呼時に前記基地局からの応答が受信できない場合、現在位置から前記基地局までが所定距離以内であるときは自動再発呼し、現在位置から前記基地局までが所定距離を超えるときは自動再発呼しないようにすることにより、基地局までの距離が送信出力の限界を超えているとき、つまり繋がる見込みのない場合には再発呼しないように制御できる。それに伴い発呼時に必要な電力を節約して電池を長持ちさせることができる。
【図面の簡単な説明】
【図１】本発明の無線通信システムの構成を示すブロック図である。
【図２】本発明の携帯電話機の構成を示すブロック図である。
【図３】本発明の基地局選択時の携帯電話機の動作を示すフローチャートである。
【図４】本発明の発呼時の携帯電話機の動作を示すフローチャートである。
【符号の説明】
１０　　携帯電話機（無線通信装置）
１１　　基地局
１２　　基地局
１３　　山
２０　　通信制御部
２１　　アンテナ
２２　　表示部
２３　　現在位置検出部
２４　　操作部
２５　　基地局候補記憶部
２６　　ＲＡＭ
２７　　ＲＯＭ
２８　　制御部
【図１】
2004134951.tif 000003
【図２】
2004134951.tif 000004
【図３】
2004134951.tif 000005
【図４】
2004134951.tif 000006